(57)【要約】【課題】ユーザに対して操作子と表示との連動感を与えることができ、かつ、ユーザが表示に興ずることのできるようにする。【解決手段】腕時計１のケース部２０の変位量が変形検出部２１２に検出され、制御部２０２に出力される。制御部２０２は、日付表示部１００に表示させるべき画像を、この変位量に応じて歪ませた表示データを生成し、液晶駆動部２１４に出力する。【選択図】　　　図４
2004133086.tif 000002
【特許請求の範囲】
【請求項１】
画像を表示する表示部を有する表示装置において、
前記表示部の周囲の少なくとも一部に配置された弾性部材を備え、
前記弾性部材の弾性変形に応じて、前記表示部に表示される画像を変形する
ことを特徴とする表示装置。
【請求項２】
画像を表示する表示部を有する表示装置において、
前記表示部の周囲の少なくとも一部に配置された弾性部材と、
前記弾性部材における弾性変形形状を検出する変形検出部と、
前記表示部に表示すべき画像の表示データであり、前記変形検出部の検出結果に応じて歪んだ画像の表示データを生成する表示データ生成部と
を具備することを特徴とする表示装置。
【請求項３】
前記変形検出部は、前記弾性部材における弾性変形形状を非接触に検出する
ことを特徴とする請求項２に記載の表示装置。
【請求項４】
請求項１乃至３のいずれかに記載の表示装置
を具備することを特徴とする電子機器。
【請求項５】
画像によって時刻情報または日付情報を表示する表示部と、
前記表示部の周囲の少なくとも１部に配置された弾性部材とを備え、
前記弾性部材の弾性変形に応じて、前記表示部に表示される時刻情報または日付情報の画像を変形する
ことを特徴とする時計。
【発明の詳細な説明】
【０００１】
【発明の属する技術分野】
本発明は、画像を表示する表示装置、表示装置を備えた電子機器および時計に関する。
【０００２】
【従来の技術】
電子機器の筐体には、押下式ボタンなどの突出した操作子が設けられるのが一般的である。この操作子は、ユーザが電子機器へ各種指示を与えるためのものであり、液晶パネルなどの表示部を備えた電子機器にあっては、操作子の操作に応じて各種情報が表示部に表示されるように構成されている。この表示の態様にあっては、一般的に、操作子の操作が行われると略同時に、この操作に予め割り当てられている画面や、操作結果を示す画面などに切り替わるようになっている。具体的には、電子機器として、液晶パネルを備えた腕時計（いわゆる、デジタ時計）を例示すると、現在時刻合わせのための操作にあっては、操作ボタンが押下されると略同時に、表示されていた時間よりも所定時間だけ増減した時間が表示される。すなわち、従来の表示装置にあっては、操作子の操作と略同時に、表示画面が、その操作結果を示す画面に切り替わるように構成されている。
【０００３】
【発明が解決しようとする課題】
しかしながら、上記のような表示の態様にあっては、表示の役割としては十分であるものの、ユーザに対して表示と操作子操作の連動感を与えるといった点では不十分であり、また、ユーザにとっては、表示切り替えが無機質に感じられてしまう。
【０００４】
本発明は、上述した事情に鑑みてなされたものであり、ユーザに対して操作子と表示との連動感を与えることができ、かつ、ユーザが表示に興ずることのできる表示装置、この表示装置を備えた電子機器、および、時計を提供することを目的とする。
【０００５】
【課題を解決するための手段】
上記目的を達成するために、本発明は、画像を表示する表示部を有する表示装置において、前記表示部の周囲の少なくとも一部に配置された弾性部材を備え、前記弾性部材の弾性変形に応じて、前記表示部に表示される画像を変形する表示装置を提供する。
この表示装置によれば、ユーザが弾性部材を押圧するなどの操作をして変形させると、この弾性変形に応じて表示部に表示される画像も変形する。これにより、ユーザに対して操作と表示との連動感を与え、また、表示に対するユーザの興味を掻き立てることができる。
【０００６】
また、本発明は、画像を表示する表示部を有する表示装置において、前記表示部の周囲の少なくとも一部に配置された弾性部材と、前記弾性部材における弾性変形形状を検出する変形検出部と、前記表示部に表示すべき画像の表示データであり、前記変形検出部の検出結果に応じて歪んだ画像の表示データを生成する表示データ生成部とを具備する表示装置を提供する。
【０００７】
また、本発明は、請求項２に記載の表示装置において、前記変形検出部は、前記弾性部材における弾性変形形状を非接触に検出することを特徴とする。
【０００８】
上記目的を達成するために、本発明は、請求項１乃至３のいずれかに記載の表示装置を備える電子機器を提供する。
【０００９】
また、上記目的を達成するために、本発明は、画像によって時刻情報または日付情報を表示する表示部と、前記表示部の周囲の少なくとも１部に配置された弾性部材とを備え、前記弾性部材の弾性変形に応じて、前記表示部に表示される時刻情報または日付情報の画像を変形する時計を提供する。
【００１０】
【発明の実施の形態】
以下、図面を参照して本発明の実施の形態について説明する。本実施形態では、表示装置として液晶表示パネルを備えた腕時計について例示する。
【００１１】
図１は、本発明の実施形態にかかる腕時計１の概観構成を示す斜視図である。この図に示すように、腕時計１は、大別すると、時計本体部１ａと、この時計本体部１ａに連結されたベルト１ｂとを備えている。時計本体部１ａは、さらに、図２に示すように、時計表示部１０とケース部２０とを備えている。時計表示部１０には、時刻および日付が表示される。より具体的には、時計表示部１０には、時刻表示盤と、時刻表示針とが設けられており、時刻がアナログ表示される。また、時計表示部１０の表示面において、３時に相当する個所には、略矩形の開口が設けられ、この開口には、日付表示部１００が嵌め込まれている。日付表示部１００は、液晶表示パネルを備え、日付を示す数字を表示する。ケース部２０は、シリコンゴムやウレタンゴムなどの合成ゴムといった弾性部材から形成されている。なお、ケース部２０とベルト１ｂとは、弾性部材により一体成形されても良く、これにより腕時計１の組み立てが容易となる。
【００１２】
図３は、図２のＩ−Ｉ’線（時計表示部１０の表示面における９時−３時を結ぶ線）における時計本体部１ａの断面を示す図である。この図に示すように、ケース部２０は、断面コの字状に形成され、その開口が時計表示部１０の側面に向くように設けられている。すなわち、ケース部２０の内側面と時計表示部１０の側面との間には、空隙１５が形成され、これにより、時計表示部１０方向への押圧（図中矢印Ａで示す）および時計表示部１０から外側方向への張力（図中矢印Ｂで示す）に対して、比較的小さな圧力でも弾性変形するようになっている。また、ケース部２０により時計表示部１０の周囲が囲まれているため、腕時計１が物に衝突した場合に、このケース部２０が有する弾性と、上述した空隙１５とにより衝撃が吸収され、衝突時の衝撃から時計表示部１０が保護されるようになっている。さらに、時計表示部１０は、空隙１５により熱衝撃からも保護されるため、計時動作時の歩度の狂いが抑えられることとなる。また、時計本体部１ａの上面には、透明ガラス１４が嵌め込まれており、時計表示部１０の表示を遮ることなく、この時計表示部１０を保護するようになっている。
【００１３】
また、図３に示すように、時計表示部１０は、金属ケース１２に覆われており、その内側には、上述した時刻表示針の運針駆動などを行うムーブメント２００が設けられている。図４は、ムーブメント２００の機能的構成を示すブロック図である。同図において、制御部２０２は、ＣＰＵやＲＯＭ、ＲＡＭなどを備え、各部の動作を制御する。発振回路２０４は、水晶発振器や分周回路などを備え、１Ｈｚのクロック信号を生成し、計時カウンタ２０６に出力する。計時カウンタ２０６は、このクロック信号に基づいて時刻をカウントし、カウント値を制御部２０２に出力する一方、２４時間を計時するごとに、日付カウンタ２０８に制御信号を出力する。日付カウンタ２０８は、計時カウンタ２０６からの制御信号に基づいて日付をカウントし、カウント値を制御部２０２に出力する。運針駆動部２１０は、制御部２０２の制御部時刻表示針を駆動するものであり、多数の歯車からなる輪列（不図示）や、この輪列に回転力を与えるアクチュエータなどを備えている。液晶駆動部２１４は、液晶駆動回路などを備え、制御部２０２から入力された表示データに従って日付表示部１００の液晶パネルに画像を表示させる。
【００１４】
変形検出部２１２は、ケース部２０の弾性変形量を示す信号を制御部２０２に出力するものであり、変位センサ１４を備えている。変位センサ１４は、対象物までの距離に応じたアナログ信号を出力するものであり、図３に示すように、金属ケース１２の側面に嵌め込まれている。これにより、変位センサ１４からは、金属ケース１２の側面からケース部２０の内側面までの距離１６（すなわち、内側面の変位量）に応じたアナログ信号が出力される。また、変形検出部２１２は、Ａ／Ｄ変換器を備え、このＡ／Ｄ変換器は、変位センサ１４からのアナログ信号をデジタル信号に変換して制御部２０２に出力する。
【００１５】
ここで、変位センサ１４は、レーザ光をケース部２０の内側面に対して照射し、その反射光を検出することにより内側面の変位量を非接触に検出する、いわゆる光学式の変位センサが用いられている。変位センサ１４としては、この他にも磁気変位センサなどの任意の非接触センサが用いられ得る。また、変形検出部２１２からは、ケース部２０の内側面の歪みによる変形量を示す信号が出力されれば良く、変位センサ１４に代えて、内側面の歪みの大きさを検出する歪みゲージなどを用いることも可能である。詳述すると、歪みゲージとは、樹脂から形成された絶縁フィルム上に抵抗素子を形成したものであり、絶縁フィルムに生じた歪みに応じて抵抗素子の抵抗値が変化するものである。従って、この歪みゲージをケース部２０の内側面に貼り付け、抵抗値の変化を検出することにより、ケース部２０の内側面の歪み度合いが検出される。このように、ケース部２０の変形は、メカ接点式のスイッチではなく、非接触式のセンサによって検出される構成であるから、チャタリングによる誤動作が防止されるようになっている。
【００１６】
また、制御部２０２は、変形検出部２１２から検出信号を受け取ると、制御部２０２は、日付カウンタ２０８のカウンタ値を「１」だけインクリメントさせると共に、インクリメント後の日付を日付表示部１００に表示させるといった日送り制御をする。すなわち、ケース部２０は、ユーザが日送りを指示するための操作子として機能し、ユーザがケース部２０を押圧することにより、日付表示部１００に表示されている日付が日送りされるのである。
【００１７】
本実施形態にあっては、表示日付が日送りされる際には、図８に示すように、ユーザによるケース部２０の押圧の強さ、すなわち、ケース２０の変位量に応じた分だけ日付表示が歪んで表示された後、次の日付に日送りされる構成となっている。より具体的には、制御部２０２は、変形検出部２１２から検出信号を受け取ると、形が歪んだ数字の表示データを生成し、液晶駆動部２１４に出力するといった表示データ生成処理を実行する。以下、このような表示処理について詳述する。
【００１８】
図５は、表示処理の処理手順を示すフローチャートである。この図に示すように、制御部２０２は、変形検出部２１２からの検出信号により、ケース部２０の内側面が変位したことを検知すると（ステップＳ１：ＹＥＳ）、内側面の変位量Ｘが第１閾値Ｘｔｈ１以上であるかを判別し（ステップＳ２）、この判別結果がＮＯであれば、処理手順をステップＳ１に戻す。ここで、第１閾値Ｘｔｈ１は、ケース部２０が他の物体に軽く接触するなどして変形する程度の小さな値に設定されている。これにより、ユーザの意図に反してケース部２０が多少変形した場合に、日送りされてしまうのが防止される。
【００１９】
また、ステップＳ２における判別結果がＹＥＳである場合、制御部２０２は、内側面の変位量Ｘに応じて歪んだ数字を表示するための表示データを生成する（ステップＳ３）。詳述すると、制御部２０２のＲＯＭには、数字（日付）ごとに表示データが記憶されており、制御部２０２は、次のようにして、数字が歪んだ表示データを生成する。具体的には、表示データは、液晶パネル上で数字を描画すべく変色すべきドットを規定するものであり、規定されたドットが表示色（例えば黒色など）に変色することにより、数字が表示される。そこで、制御部２０２は、通常時に表示すべき表示データ（図６参照）をＲＯＭから読み出し、この表示データに対して、図７に示すように、ユーザによる押圧方向（内側面の変位方向）に、変色ドットを変位量Ｘに比例した量だけシフトさせて、歪んだ数字の表示データを生成する。そして、制御部２０２は、この表示データを日付表示部１００に表示させるべく、液晶駆動部２１０に出力する（ステップＳ４）。これにより、ユーザは、押圧に伴い、日付表示部１００に表示されている日付が歪んだように見えるのである。なお、画像の歪ませる態様は任意であるが、図７に示すように、押圧箇所を中心として湾曲状に変形するように歪ませることにより、ユーザに対して押圧と画像表示との連動感を鮮明に与えることができる。
【００２０】
次いで、制御部２０２は、内側面の変位量Ｘが第２閾値Ｘｔｈ２以上かを判別する（ステップＳ５）。この第２閾値Ｘｔｈ２は、日送りをするか否かを判別するためのものであり、比較的大きな値に設定されている。すなわち、この判別結果がＹＥＳであれば、日送りのための制御を行い（ステップＳ６）、処理を終了する。具体的には、制御部２０２は、日付カウンタ２０８のカウンタ値を「１」だけインクリメントした後、インクリメント後の日付に対応する表示データをＲＯＭから読み出して、液晶駆動部２１０に出力する。これにより、図８に示すように、日付表示部１００には、次の日付が表示される。
【００２１】
また、ステップＳ５における判別結果がＮＯであれば、制御部２０２は、処理手順をステップＳ１に戻す。すなわち、ケース部２０の内側面の変位量Ｘが第２閾値に達していなければ、日送りは行われず、ユーザの押圧に応じた画像表示が継続されることとなる。なお、この処理では、ケース部２０が押圧された場合について説明したが、張引された場合についても、画像が歪む方向が逆になると共に、日送りとは逆に日付が遡るように制御される他は、押圧された場合と同様の処理が行われる。
【００２２】
以上説明したように、本実施形態によれば、ケース部２０を弾性部材にて構成し、ユーザの操作によってケース部２０に生じる弾性変形に応じた量だけ表示画像が歪むようになっている。これにより、ユーザが比較的弱い力でケース部２０を押圧または張引すれば、表示画像の歪み量も小さく、また、強い力であれば、歪み量が大きくなり、ユーザに対して、操作と表示の連動感を与えることができる。
また、ユーザが行った日送り操作に対して、次の日付を即時に表示させるといった無機質な表示切り替えではなく、日付が送られる様子を模した表示が行われるといった構成であるため、表示に対するユーザの興味を掻き立てることができる。
さらにまた、ケース部２０の表面の質感や紋様を適宜変更することにより、腕時計１の外観を容易に変更することができるとともに、ケース部２０に操作部を突設する必要がないため、操作部の配置によって外観デザイン上の美観が損なわれることがない。
【００２３】
＜変形例＞
上述した実施形態は、あくまでも本発明の一態様を示すものであり、本発明の範囲内で任意に変形が可能である。そこで、以下に変形例について例示する。
【００２４】
（１）上述した実施形態のステップＳ６（図５参照）において、制御部２０２は、ケース部２０の変位量Ｘが第２閾値Ｘｔｈ２以上であった場合に、１日分だけ日送り表示した。しかしながら、日送りする日数は、複数日であっても良く、例えば、ケース部２０の変位量Ｘが第２閾値Ｘｔｈ２以上となっている時間、すなわち、押圧時間に応じて複数日の日送りが行われても良い。
【００２５】
（２）上述した実施形態において、ケース部２０の変形に応じて行われる制御として、日付表示部１００の日送り制御について例示したが、これに限らない。例えば、タイマー機能を有する腕時計においては、タイマー設定制御であっても良い。より具体的に説明すると、図９に示すように、本変形例にかかる腕時計１’にあっては、時計表示部１０は、液晶表示パネルを備え、この時計表示部１０にタイマーが表示される構成となっている。タイマー動作モードにあっては、時計表示部１０の上段に分、下段に秒が各々２桁表示されるようになっており、初期画面にあっては、各々「０」が表示される。この初期画面が表示されている状態において、ユーザによってケース部２０が押下されると、表示画面Ｉに示すように、時計表示部１０に表示される画像が歪みつつ、ケース部２０の変形量に応じた分だけタイマーの数値が増加する。これにより、ユーザは、変形量や押圧時間などを調整して、所望のカウント時間を設定することができるようになっている。そして、ユーザが手を離し、押下による押圧力がなくなると、表示画面ＩＩに示すように、設定されたカウント時間からのカウントダウンが開始される。
【００２６】
（３）上述した実施形態において、電子機器として腕時計を例示したが、これに限らず、目覚まし時計などの置時計であっても良い。また、表示装置として、液晶表示パネルを例示したが、これに限らず、ＥＬ（ＥｌｅｃｔｒｏＬｕｍｉｎｅｓｃｅｎｔ）などの発光素子パネルやＣＲＴ（Ｃａｔｈｏｄｅ　Ｒａｙ　Ｔｕｂｅ）ディスプレイなどであっても良い。なお、ケース部２０は、金属ケース１２の周囲の全てを覆うように設けられる必要はなく、変位センサ１４に対応する箇所に設けられていれば良い。
【００２７】
さらにまた、電子機器は、時計に限らず、表示装置を備えるものであれば、例えば携帯電話機や情報端末機器などの任意の機器であっても良い。例えば、図１０に示すような携帯型ゲーム機であっても良い。この図に示すように、本変形例にかかる携帯型ゲーム機２は、表示部である液晶表示パネル１０’と、ケース部２０とを備えている。このケース部２０は、上述した実施形態におけるケース部２０と同様に、シリコンゴムなどの弾性部材から形成され、液晶表示パネル１０’の周囲を囲むように設けられている。
ここで、図１１に示すように、携帯型ゲーム機２にあっては、変位センサ１４が筐体の各側面ごとに複数設けられており、４方からの押圧が検出されるように構成されている。この構成によれば、筐体の各側面における弾性変形が検出され、表示画像を、その変形に応じて上下左右に歪ませることができる。
また、このような携帯型ゲーム機２において、図１２に示すように、液晶表示パネル１０’に、迷路状の壁３００と、この迷路の通路幅よりも多少小さなボール３０２とが表示されるように構成し、かつ、ケース部２０の変形方向にボール３０２が移動するように表示されるように構成する。この構成によれば、ケース部２０を適宜押下して、壁３００にボール３０２が接触しないように、ＳＴＡＲＴ地点からＧＯＡＬ地点まで、動かすといった遊び方をユーザに提供することができる。
【００２８】
【発明の効果】
以上説明したように、本発明によれば、ユーザに対して操作子と表示との連動感を与えることができ、かつ、ユーザが表示に興ずることのできる表示装置、この表示装置を備えた電子機器、および、時計が提供される。
【図面の簡単な説明】
【図１】本発明の実施形態にかかる腕時計の外観構成を示す斜視図である。
【図２】同腕時計の上面図である。
【図３】同腕時計の断面図である。
【図４】同腕時計が備えるムーブメントの機能的構成を示すブロック図である。
【図５】同腕時計の制御部の処理手順を示すフローチャートである。
【図６】同制御部による表示データの生成を説明するための図である。
【図７】同制御部による表示データの生成を説明するための図である。
【図８】同腕時計の日付表示部における画面表示の遷移を示す図である。
【図９】本発明の変形例にかかる腕時計の表示画面の遷移を示す図である。
【図１０】本発明の他の変形例にかかる携帯型ゲーム機の外観構成を示す斜視図である。
【図１１】同携帯型ゲーム機の構成を示す図である。
【図１２】同携帯型ゲーム機が提供する遊技の一態様を示す図である。
【符号の説明】
１、１’・・・腕時計、１０・・・時計表示部、１４・・・変位センサ、２０・・・ケース部、１００・・・日付表示部、２０２・・・制御部、２１２・・・変形検出部
【図１】
2004133086.tif 000003
【図２】
2004133086.tif 000004
【図３】
2004133086.tif 000005
【図４】
2004133086.tif 000006
【図５】
2004133086.tif 000007
【図６】
2004133086.tif 000008
【図７】
2004133086.tif 000009
【図８】
2004133086.tif 000010
【図９】
2004133086.tif 000011
【図１０】
2004133086.tif 000012
【図１１】
2004133086.tif 000013
【図１２】
2004133086.tif 000014